(57)【特許請求の範囲】
【請求項１】
前身頃および後身頃を袋状に形成してその袋体へ浮力材を収納することよって形成したフローティングベストであって、
前記の後身頃を上下方向に分離して後上見頃および後下見頃を形成し、
その後上見頃および後下見頃を可撓性および通気性のある後身頃連結体にて連結し、
前記の後身頃連結体は、前記の後上見頃の左右方向の中央部および後下身頃の左右方向の中央部を連結する中央帯状体と、  その中央帯状体の左右に位置する左帯状体および右帯状体と、を備え、
後上見頃に対しては、その下部内側と左帯状体および右帯状体とを固定し、
前記の左帯状体および前記の右帯状体は、前記の後下見頃における前記の後左部および前記の後右部の上部外側に重ねて固定し、
たフローティングベスト。
【請求項２】
前身頃および後身頃を袋状に形成してその袋体へ浮力材を収納することよって形成したフローティングベストであって、
前記の後身頃を上下方向に分離して後上見頃および後下見頃を形成し、
その後上見頃および後下見頃の間には、空隙が存在するように可撓性のある後身頃連結体にて連結し、
前記の後身頃連結体は、前記の後上見頃の左右方向の中央部および後下身頃の左右方向の中央部を連結する中央帯状体と、  その中央帯状体の左右に位置する左帯状体および右帯状体と、を備え、
後上見頃に対しては、その下部内側と左帯状体および右帯状体とを固定し、
前記の左帯状体および前記の右帯状体は、前記の後下見頃における前記の後左部および前記の後右部の上部外側に重ねて固定し、
たフローティングベスト。
【請求項３】
前記の中央帯状体は、前記の後上見頃の下端および前記の後下見頃における前記の後下中央部の上端に固定されるように形成した
請求項１または請求項２のいずれかに記載のフローティングベスト。
【請求項４】
前記の後下見頃は、その内部空間を横方向に分割し、その分割されて複数となった内部空間へそれぞれ浮力材を収納することとした請求項１から請求項３のいずれかに記載のフローティングベスト。
【請求項５】
前記の後下見頃は、後下中央部と、その後下中央部の左右に位置する後左部および後右部とで三分割した請求項４のいずれかに記載のフローティングベスト。
【発明の詳細な説明】
【技術分野】
【０００１】
本発明は、仕事やレジャーにおいて使用される浮力材を備えたフローティングベストに関する。
【背景技術】
【０００２】
海や川でのレジャー（釣り、カヌーなど）や仕事（漁業など）には、従来から、「救命胴衣」や「フローティングベスト」と称される上着が知られている。このようなフローティングベストは、左右の前身頃および後身頃によって上着本体（服地）が形成されており、それぞれの身頃に設けられた所定の収容空間内に比重の小さなＰＶＣ、ＰＥ、ＥＶＡなどの素材の略板状の浮力材を収納している。
【０００３】
ところで、フローティングベストは、浮力材を収容している分だけ一般のベストよりも厚みがあり着用したときの嵩が大きいだけでなく、多くの場合、前記浮力材が、それぞれの身頃の形状に適合する１枚の平板として形成され、身頃における面積のかなりの部分を占めている。そのため、浮力材が、上着着用者の身体の動きに追従しにくい。そのため、落水したときに救命胴衣が身体の上方へずれる可能性がある。また、着用者の動きの自由度を下げ、所定の動作を妨げる場合もある。
【０００４】
特許文献１には、落水したときに救命胴衣が身体の上方にずれることを防止し、顔を水面に出しやすい救命胴衣が開示されている（図１０）。
また、特許文献２には、安定した浮力を保ちつつ、上着着用者の身体の動きにスムーズに追従できるフローティングベストおよびその浮力材が開示されている。
【先行技術文献】
【特許文献】
【０００５】
【特許文献１】特開２００９−１３２３３９号公報
【特許文献２】特開２０１１−１２３５６号公報
【発明の概要】
【発明が解決しようとする課題】
【０００６】
しかし、特許文献１および特許文献２に開示されているフローティングベストには、以下のような問題点があった。
すなわち、フローティングベストに収納されている浮力材は通気性に乏しいため、着用者は長時間の着用によって自らの発汗による「蒸れ」を感じてしまう。
【０００７】
本発明が解決すべき課題は、落水した際の浮力を確保しつつ、着用時には蒸れを感じにくいフローティングベストを提供することにある。
【課題を解決するための手段】
【０００８】
（第一の発明）
本願における第一の発明は、前身頃(10,20)および後身頃を袋状に形成してその袋体へ浮力材を収納することよって形成したフローティングベストに係る。
前記の後身頃を上下方向に分離して後上見頃(30)および後下見頃(40)を形成し、  その後上見頃(30)および後下見頃(40)を可撓性および通気性のある後身頃連結体(50)にて連結して形成する。
【０００９】
（用語説明）
「通気性のある後身頃連結体」とは、後身頃連結体そのものの素材に通気性がある場合（図８を参照）のほか、通気性に乏しい浮力材を収納しない部位として後身頃連結体を形成することで通気性を確保している場合を含む。
【００１０】
（作用）
フローティングベストの着用者の発汗による水蒸気は、着用者の周囲から後身頃連結体(50)の位置する部位を介して拡散する。そのため、着用者が蒸れを感じにくいフローティングベストとなる。
後身頃連結体(50)は、可撓性を備えているため、着用者が身体を曲げたりひねったりしても着用者の動きにも追従しやすい。  また、着用者の体型が太め（ウエストサイズがヒップサイズよりも大きいような場合）であっても、細め（ウエストサイズがヒップサイズよりも小さい場合）であっても、着用における融通性が高い。
【００１１】
（第二の発明）
本願における第二の発明もまた、前身頃(10,20)および後身頃を袋状に形成してその袋体へ浮力材を収納することよって形成したフローティングベストに係る。
前記の後身頃を上下方向に分離して後上見頃(30)および後下見頃(40)を形成し、  その後上見頃(30)および後下見頃(40)の間には、空隙が存在するように可撓性のある後身頃連結体(50)にて連結して形成する。
【００１２】
（作用）
フローティングベストの着用者の発汗による水蒸気は、着用者の周囲から後上見頃(30)および後下見頃(40)の間に存在する空隙を介して拡散する。そのため、着用者が蒸れを感じにくいフローティングベストとなる。
後身頃連結体(50)は、可撓性を備えているため、着用者が身体を曲げたりひねったりしても着用者の動きにも追従しやすい。  また、着用者の体型が太め（ウエストサイズがヒップサイズよりも大きいような場合）であっても、細め（ウエストサイズがヒップサイズよりも小さい場合）であっても、着用における融通性が高い。
【００１３】
（第一および第二の発明のバリエーション１）
第一および第二の発明は、以下のようなバリエーションを提供することもできる。
すなわち、  前記の後身頃連結体(50)は、後上見頃(30)の左右方向の中央部および後下身頃(40)の左右方向の中央部を連結する中央帯状体(51)と、  その中央帯状体(51)の左右に位置する左帯状体(52)および右帯状体(53)と、を備えて形成する。
【００１４】
（作用）
後身頃連結体(50)は、中央帯状体(51)、左帯状体(52)および右帯状体(53)にそれぞれの位置で独立しているので、着用者の動きに対して更に追従しやすくなる。
【００１５】
（第一および第二の発明のバリエーション１）
第一および第二の発明は、以下のようなバリエーションを提供することもできる。
すなわち、左帯状体(52)および右帯状体(53)は、後下見頃(40)における上部外側に重ねて固定し、  前記の左帯状体(52)および前記の右帯状体(53)は、前記の後下見頃(40)における前記の後左部および前記の後右部の上部外側に重ねて固定されるように形成することとしてもよい。
【００１６】
（作用）
後下見頃(40)は、着用者の腰部に位置する。左帯状体(52)および右帯状体(53)が後下見頃(40)の外側に位置して固定されているので、着用者の腰部における左右側部に密着しやすくなる。その結果、着用者の動きに対して更に追従しやすくなる。特に、前屈みや一方の体側が伸びるような動きをする際などにおいても、前身頃(10,20)がずり上がりにくくなる。
【００１７】
（第一および第二の発明のバリエーション２）
第一および第二の発明は、以下のようなバリエーションを提供することもできる。
すなわち、  後下見頃(40)は、その内部空間を横方向に分割し、その分割されて複数となった内部空間へそれぞれ浮力材を収納することとしてもよい。
たとえば、後下見頃(40)における横方向の中央で後下見頃(40)を二つに分割しても良いし、他の請求項で限定するように、背骨付近を覆うこととなる中央部とその中央部の左右という三つに分割しても良い（図５参照）。左右部分を更に二分割しても良い（図６参照）。
【００１８】
（作用）
着用者の腰部に位置する後下見頃(40)が横方向に分割されているので、着用者に対する密着しやすさを向上させることが出来る。
【００１９】
（第一および第二の発明のバリエーション３）
上記のバリエーション２については、更に、以下のように形成しても良い。
すなわち、前記の後下見頃は、後下中央部と、その後下中央部の左右に位置する後左部および後右部とで三分割して形成する。
【００２０】
（作用）
後下見頃(40)の内部空間を横方向に分割して複数となった内部空間へそれぞれ浮力材を収納する、という構造は、分割数が多いほど着用者に対する密着度を高めることが出来るが、浮力材の収納室を形成する手間が増え、収納する作業の手間が増えることとなる。  試行錯誤の結果、中央部とその中央部の左右という三つに分割するのが、最も合理的であるとしている。
【発明の効果】
【００２１】
第一の発明および第二の発明によれば、落水した際の浮力を確保しつつ、着用時には蒸れを感じにくいフローティングベストを提供することができた。
【図面の簡単な説明】
【００２２】
【図１】本発明に係る第一の実施形態を示す全体図（展開図）である。
【図２】本発明に係る第一の実施形態を正面から見た場合を示す正面図である。
【図３】本発明に係る第一の実施形態を背面から見た場合を示す背面図である。
【図４】本発明に係る第一の実施形態を背面から見た主要部の部分拡大図である。
【図５】本発明に係る第一の実施形態を側面から見た主要部の部分拡大図である。
【図６】本発明に係る第二の実施形態を背面から見た場合を示す背面図である。
【図７】本発明に係る第三の実施形態を背面から見た場合を示す背面図である。
【図８】本発明に係る第四の実施形態を背面から見た場合を示す背面図である。
【図９】本発明に係る第五の実施形態を背面から見た場合を示す背面図である。
【図１０】従来技術としての釣り用上着を示す正面図である。
【発明を実施するための形態】
【００２３】
以下、本発明を複数の実施形態および図面に基づいて更に詳しく説明する。ここで使用する図面は、図１から図９である。
まず、図1から図５を用いて第一の実施形態について説明する。その後、第二から第五の実施形態について、図６から図９に基づいて説明する。
【００２４】
（第一の実施形態）
図1に示すのは、左前身頃１０，右前身頃２０および後身頃それぞれに袋体を形成し、その内部空間に浮力材Ｆ（図５において図示）を収納することよって形成したフローティングベストである。
前記の後身頃は、上下方向に分離して後上見頃３０および後下見頃４０を形成し、その後上見頃３０および後下見頃４０を可撓性および通気性のある後身頃連結体５０にて連結して形成している。
【００２５】
図２に示すように、後上見頃３０の左右上部から延長された左右の肩ベルト３１，３１と、左前身頃１０および右前身頃２０とは、左上連結具１９および右上連結具２９によって連結されている。
左前身頃１０には、着用者の左胸に対応する左上室１１および着用者の左腹に対応する左下室１２には、ポケットを形成しており、そのポケットには浮力材の収納空間を収納している。同様に、右前身頃２０には、着用者の右胸に対応する右上室２１および着用者の右腹に対応する右下室２２という浮力材の収納空間を備えている。
【００２６】
左前身頃１０および右前身頃２０は、着用者のみぞおちの下付近に対応する位置にて、正面連結具２５によって連結される。
また、左前身頃１０および右前身頃２０は、図３に示す後下見頃４０の左右方向から延長された腰ベルト４８と、左腰連結具１８および右腰連結具２８とによって、後下見頃４０と連結される。
なお、着用者の股下を通す脚ベルト（図示を省略）は、図３に示す後下身頃４０の下部に左右設けられた後下連結具４９，４９と、図２に示す左下連結具１７および右下連結具２７とに連結される。
【００２７】
前述したように、後上見頃３０および後下見頃４０を可撓性および通気性のある素材、具体的にはナイロンベルトの後身頃連結体５０にて連結される。
その後身頃連結体５０は、後上見頃３０の左右方向の中央部および後下身頃４０の左右方向の中央部を連結する中央帯状体５１と、  その中央帯状体５１の左右に空隙を存在させて位置する左帯状体５２および右帯状体５３と、からなる。
後上見頃３０と後下見頃４０との間には空隙が存在するので、フローティングベストの着用者の発汗による水蒸気は、着用者の周囲からその空隙を介して拡散する。そのため、着用者が蒸れを感じにくいフローティングベストとなる。後身頃連結体５０にも通気性があるので、中央帯状体５１、左帯状体５２および右帯状体５３に着用者が触れている位置からも水蒸気を逃がすことが出来る。
【００２８】
後身頃連結体５０は、可撓性を備えているため、着用者の動きにも追従しやすい。たとえば、着用者が釣り人である場合には、釣り竿にて仕掛けをキャストしたり、立ったり座ったり背を曲げたりという動作による作業をしても、本実施形態のフローティングベストは、着用した位置からずれにくい。着用者がカヌーイストである場合にも、パドルを回すといった行動をしてもずれにくい。
また、着用者の体型が太め（ウエストサイズがヒップサイズよりも大きいような場合）であっても、細め（ウエストサイズがヒップサイズよりも小さい場合）であっても、後身頃連結体５０が可撓性を備えているので、着用における融通性が高い。
【００２９】
図４および図５にて拡大して示すように、左帯状体５２および右帯状体５３は、後下見頃４０の外側に重ねて固定している。図５（Ａ）に示すように、後上見頃３０に対しては、その下部内側と左帯状体５２および右帯状体５３とを固定し、後下見頃４０に対しては、その上部外側と左帯状体５２および右帯状体５３とを固定する。図５（Ｂ）に示すように、後上見頃３０に対しては、その下部外側と左帯状体５２および右帯状体５３とを固定することとしてもよい。
以上のような構造によって、以下のような作用効果を奏する。  すなわち、後下見頃４０は、着用者の腰部に位置する。左帯状体５２および右帯状体５３が後下見頃４０の外側に位置して固定されているので、着用者の腰部における左右側部に密着しやすくなる。その結果、着用者の動きにより追従しやすくなる。特に、前傾姿勢を取った際などにおいても、前身頃１０，２０がずり上がりにくくなる。
【００３０】
近年のフローティングベストは、落水時において着用者の顔が水面上に出やすいように、着用者の呼吸を確保しやすいようにするため、後身頃よりも前身頃における浮力材を増やす傾向にある。  そのため、前屈みの姿勢になったときにフローティングベストが上方へずり上がりやすくなっている。
しかし、本実施形態に示す構造を備えたフローティングベストは、前屈みの姿勢となっても、フローティングベストがずり上がりにくい。
【００３１】
図６に示すのは第二の実施形態であり、後下見頃４０について、第一の実施形態とは異ならせている。
すなわち、第二の実施形態に係る後下見頃４０は、後下中央部４１と、その後下中央部４１の左右に位置する後左部４２および後右部４３とで三分割して形成している。後下中央部４１、後左部４２および後右部４３には、それぞれ内部空間を独立して備え、それぞれの内部空間の形状に適した浮力材を収納する。
後上見頃３０との関係では、後下中央部４１が中央帯状体５１を介して、後左下部４２が左帯状体５２を介して、後右下部４３が右帯状体５３を介して、後上見頃３０と固定されている。  なお、左帯状体５２および右帯状体５３が後下見頃４０の外側に位置して固定されている。
【００３２】
後下見頃４０は、着用者の腰部に位置する。後下中央部４１、後左部４２および後右部４３に収納されている浮力材はそれぞれ独立しているので、浮力材の変形に対する反発力があっても、着用者の腰部へ密着させやすい。
左帯状体５２および右帯状体５３が後下見頃４０の外側に位置して固定されているので、着用者の腰部における左右側部に密着しやすくなる。その結果、着用者の動きにより追従しやすくなる。特に、前傾姿勢を取った際などにおいても、前身頃１０，２０がずり上がりにくくなる。
【００３３】
図７に示すのは第三の実施形態であり、後下見頃４０について、第一および第二の実施形態とは異ならせている。
まず、第三の実施形態に係る後下見頃４０は、後下中央部４１と、その後下中央部４１の左右に位置する後左部および後右部とで分割され、更に後左部および後右部は、それぞれ二分割されて、分割型後左部４２ａ、分割型後右部４３ａとしている。合計５つに分割された後下見頃４０それぞれ内部空間を独立して備え、それぞれの内部空間の形状に適した浮力材を収納する。
【００３４】
また、後上見頃３０と後下見頃４０とを連結している後身頃連結体５０は、後下中央部４１が２本の中央細帯状体５１ａを介して、分割型後左下部４２ａが２本の左細帯状体５２ａを介して、分割型後右下部４３ａが右細帯状体５３ａを介して、後上見頃３０と固定されている。
第一および第二の実施形態に比べて空隙を大きく確保できるので、後身頃連結体５０の素材としては、通気性に乏しい素材であっても採用できる。
【００３５】
図８に示すのは第四の実施形態であり、後見頃連結体５０について、他の実施形態とは異ならせている。すなわち、後見頃連結体の素材として、通気性に極めて優れたメッシュ布地を採用し、第一の実施形態に比べて幅広の帯状体５１ｂ，５２ｂ，５３ｂとしている。
伸縮性の高いメッシュ布地を採用すれば、着用者が上半身をひねるような動作にも、より追従しやすくなる。
【００３６】
図９に示すのは、第五の実施形態であり、後見頃連結体５０について、他の実施形態とは異ならせている。すなわち、後見頃連結体の素材として、第四の実施形態と同様に通気性に極めて優れたメッシュ布地を採用する。  更に、他の実施形態では複数の帯状体として形成していた後見頃連結体を、単独一体のメッシュ連結体５０ｂとしている。
【００３７】
この実施形態は、後見頃連結体を複数ではなく単独の部材としているので、製造工程を簡略化できる。
【産業上の利用可能性】
【００３８】
本発明は、釣り具の製造業、アウトドア用品の製造業、救命具の製造業、アウトドアスポーツのインストラクター事業などにおいて、利用可能性を有する。
【符号の説明】
【００３９】
１０    左前見頃              １１    左上室
１２    左下室                １７    左下連結具
１８    左腰連結具            １９    左上連結具
２０    右前身頃              ２１    右上室
２２    右下室                ２７    右下連結具
２８    右腰連結具            ２９    右上連結具
３０    後上見頃              ３１    肩ベルト
４０    後下見頃              ４１    後下中央部
４２    後下左部              ４２ａ  分割型後左部
４３    後下右部              ４３ａ  分割型後右部
４８    腰ベルト              ４９    後下連結具
５０    後身頃連結体          ５０ｂ  メッシュ連結体
５１    中央帯状体            ５１ａ  中央細帯状体
５１ｂ  中央メッシュ帯状体
５２    左帯状体              ５２ａ  左細帯状体
５２ｂ  左メッシュ帯状体
５３    右帯状体              ５３ａ  右細帯状体
５３ｂ  右メッシュ帯状体
【図１】
0005826689.tif 000002
【図２】
0005826689.tif 000003
【図３】
0005826689.tif 000004
【図４】
0005826689.tif 000005
【図５】
0005826689.tif 000006
【図６】
0005826689.tif 000007
【図７】
0005826689.tif 000008
【図８】
0005826689.tif 000009
【図９】
0005826689.tif 000010
【図１０】
0005826689.tif 000011